(57)【要約】【課題】簡素化された構成によりリンガー信号を生成する。【解決手段】昇圧トランス１１の１次側に設けられたスイッチング素子であるトランジスタＴＲ３１によりスイッチングを行って前記昇圧トランス１１の２次側に昇圧した電圧を発生させる昇圧回路１と、前記昇圧回路１の出力端に接続され、リンガー音を発生させる負荷部ＲＬと、デューティ比が順次周期的に変化するパルスによる信号を出力し、前記スイッチング素子であるトランジスタＴＲ３１を駆動する駆動部である１チップＣＰＵ２とを具備する。【選択図】  図３
2004320173.tif 000002
【特許請求の範囲】
【請求項１】
昇圧トランスの１次側に設けられたスイッチング素子によりスイッチングを行って前記昇圧トランスの２次側に昇圧した電圧を発生させる昇圧回路と、
前記昇圧回路の出力端に接続され、リンガー音を発生させる負荷部と、
デューティ比が順次周期的に変化するパルスによる信号を出力し、前記スイッチング素子を駆動する駆動部と
を具備することを特徴とするリンガー信号生成装置。
【請求項２】
前記昇圧回路は、フライバック方式のコンバータ回路により構成されていることを特徴とする請求項１に記載のリンガー信号生成装置。
【発明の詳細な説明】
【０００１】
【発明の属する技術分野】
この発明は、リンガー音を発生させるボタン電話装置、構内交換機、ルータなどに適用することができるリンガー信号生成装置に関するものである。
【０００２】
【従来の技術】
従来のリンガー信号生成装置は、図４に示されるように昇圧回路１００、信号源１１０及び増幅部１２０を備えている。昇圧回路１００は、−２４Ｖと０Ｖとが与えられ、これを１６０Ｖに昇圧して出力する。増幅部１２０は、上記１６０Ｖを受けて、信号源１１０から送出される５Ｖで２０Ｈｚの信号を増幅し、リンガー信号として出力する。
【０００３】
上記従来のリンガー信号生成装置の具体的な回路は、図６に示されるようである。昇圧回路１００は、昇圧トランス１０１とスイッチング素子１０２とを含み、図５に示されるような一定のデューティ比のパルスによる信号により上記スイッチング素子を駆動して昇圧トランス１０１の２次側に電源１０３の電圧を昇圧した電圧を発生させる。
【０００４】
昇圧トランス１０１の２次側に発生された電圧はダイオードＤ２により整流され、コンデンサＣ２に電荷が蓄積され、昇圧回路１００の出力電圧がこのコンデンサＣから取り出し可能とされる。
【０００５】
増幅部１２０は、トランジスタＱ１〜Ｑ３を用いた構成であり、信号源１１０の信号をトランジスタＱ１によりＡ級増幅し、この増幅された信号をトランジスタＱ２、Ｑ３によってＢ級増幅してリンガー音を発生させる負荷部ＲＬへ出力している。
【０００６】
【発明が解決しようとする課題】
しかしながら、上記の従来回路においては、Ｂ級増幅を行うトランジスタに放熱板が必要であり、更に図６から明らかなように、回路構成に多くのコンデンサや抵抗が必要で、部品点数が多いという問題点がある。
【０００７】
例えば、特許文献１に開示されているように、マイクロコンピュータを用いて呼出音を発生させる従来例もあるが、構成の簡素化という点からは十分なものではなかった。
【０００８】
【特許文献１】
特開平２−１４５０５５号公報（全般）
【０００９】
本発明は上記のような従来のリンガー信号生成装置が備えている問題点を解決せんとしてなされたもので、その目的は、簡素化された構成によりリンガー信号を生成することが可能なリンガー信号生成装置を提供することである。
【００１０】
【課題を解決するための手段】
本発明に係るリンガー信号生成装置は、昇圧トランスの１次側に設けられたスイッチング素子によりスイッチングを行って前記昇圧トランスの２次側に昇圧した電圧を発生させる昇圧回路と、前記昇圧回路の出力端に接続され、リンガー音を発生させる負荷部と、デューティ比が順次周期的に変化するパルスによる信号を出力し、前記スイッチング素子を駆動する駆動部とを具備することを特徴とする。
【００１１】
本発明に係るリンガー信号生成装置では、前記昇圧回路が、フライバック方式のコンバータ回路により構成されていることを特徴とする。
【００１２】
【発明の実施の形態】
以下添付図面を参照して、本発明に係るリンガー信号生成装置の実施例を説明する。各図において同一の構成要素には、同一の符号を付し重複する説明を省略する。図１には、リンガー信号生成装置の構成図が示されている。同図に明らかなように、昇圧回路１へ１チップＣＰＵ２からデューティ比が順次周期的に変化するパルスによる信号を与え、昇圧回路１の出力端からリンガー信号を得る。
【００１３】
１チップＣＰＵ２にはＲＯＭ３が備えられており、ＲＯＭ３には、そのデータを連続的にサイクリックに読み出すことにより、図２に示されるようなデューティ比が順次周期的に変化するパルスによる信号が得られるようなデータが記憶されている。つまり、図２に示されている信号のＨレベルがデータ「１」に相当し、Ｌレベルがデータ「０」に相当しており、データ「１」が連続する程にパルス幅が大きくなり、データ「１」とデータ「０」の連続する度合いによりデューティ比が順次周期的に変化するパルスによる信号を得ている。
【００１４】
図３に、上記昇圧回路１の具体的構成例を示す。昇圧回路１は、昇圧トランス１１とスイッチング素子であるトランジスタＴＲ３１とを含み、図２に示した順次周期的に変化するパルスによる信号により上記トランジスタＴＲ３１を駆動して昇圧トランス１１の２次側に電源１３の電圧を昇圧した電圧を発生させる。
【００１５】
昇圧トランス１１の２次側に発生された電圧はダイオードＤ２により整流され、コンデンサＣ２に電荷が蓄積され、昇圧回路１００の出力電圧がこのコンデンサＣから取り出し可能とされる。
【００１６】
この図３の回路は、フライバック方式のコンバータ回路であり、入力電圧ＶＩ  と出力電圧ＶＯ  のと関係は、次の式１により表される。
【００１７】
【数１】
2004320173.tif 000003
ＲＬＯ：負荷（ＲＬ＋Ｒ４０＋Ｒ４１）
ＬＰ  ：昇圧トランス１１の１次側インダクタンス
ＴＯＮ：トランジスタＴＲ３１のＯＮ時間
ＴＯＦＦ  ：トランジスタＴＲ３１のＯＦＦ時間
【００１８】
上記式１により明らかなように、トランジスタＴＲ３１のＯＮ−ＯＦＦの比を変化させることにより出力電圧ＶＯ  を変化させることができる。
【００１９】
本実施例では、トランジスタＴＲ３１のベースに図２に示す信号を与える。このため、ベースに与えられる波形のデューティ比が大から小、更に小から大へと順次周期的に変化するので、上記出力電圧をＶＯ  は、低から高、更に高から低へと順次周期的に変化する。この変化周期を２０Ｈｚとなるように１チップＣＰＵ２から出力を行うことにより、リンガー波形が生成され、昇圧回路１の出力端に接続された負荷部ＲＬからリンガー音が発生される。
【００２０】
【発明の効果】
以上説明したように本発明のリンガー信号生成装置によれば、昇圧トランスの１次側に設けられたスイッチング素子によりスイッチングを行って前記昇圧トランスの２次側に昇圧した電圧を発生させる昇圧回路を備え、デューティ比が順次周期的に変化するパルスによる信号を出力し、前記スイッチング素子を駆動する構成を採用するので、トランジスタをはじめとする電子部品を多く要する増幅部が不要であり、放熱板などの付属構成品をも少なくし、構成の簡素化を図ることができる。
【図面の簡単な説明】
【図１】本発明に係るリンガー信号生成装置の構成図。
【図２】本発明に係るリンガー信号生成装置のスイッチング素子をドライブする信号の波形を示す図。
【図３】本発明に係るリンガー信号生成装置の具体的構成図。
【図４】従来のリンガー信号生成装置の構成図。
【図５】従来のリンガー信号生成装置のスイッチング素子をドライブする信号の波形を示す図。
【図６】従来のリンガー信号生成装置の具体的構成図。
【符号の説明】
１  昇圧回路
２  １チップＣＰＵ
３  ＲＯＭ
１１  昇圧トランス
１３  電源
ＴＲ３１  トランジスタ
Ｃ  コンデンサ
ＲＬ  負荷部
【図１】
2004320173.tif 000004
【図２】
2004320173.tif 000005
【図３】
2004320173.tif 000006
【図４】
2004320173.tif 000007
【図５】
2004320173.tif 000008
【図６】
2004320173.tif 000009